(57)【要約】【課題】装着時のテープファスナの係合位置が限定されず、様々な体型の装着者にも対応できる使い捨ておむつを提供する。【解決手段】背側腰回り部６にテープファスナ16を設ける。テープファスナ16を腹側腰回り部８の裏面シート４に係合できる。下側のテープファスナ16のフック部材17を、上側のテープファスナ16の裏面側に係合できる。一方側の上側および下側のテープファスナ16の裏面側に、他方側の上側および下側のテープファスナ16のフック部材17を係合できる。背側パネル部15やテープファスナ16の裏面側にフック部材17を係合できる。【選択図】図１
2008093224.tif 000002
【特許請求の範囲】
【請求項１】
内面側に位置する表面シートと、外面側に位置する裏面シートと、これら表面シートおよび裏面シートの間に配設された吸収体とを有し、長手方向に沿って背側腰回り部、股下回り部および腹側腰回り部が順次一体的に形成された吸収性物品本体を備え、
前記背側腰回り部の両端部には、内面側に位置する内側パネルシートと、外面側に位置する外側パネルシートとを有する背側パネル部が形成され、
この背側パネル部には、一端側に位置し前記背側パネル部に接合される基端部と、他端側に位置し前記背側パネル部の幅方向の外側縁から外方に延出した延出部とを有するテープ状ファスナが配設され、
このテープ状ファスナと前記腹側腰回り部との係合によって着脱可能に構成される使い捨て吸収性物品であって、
前記テープ状ファスナの延出部の内面側には、フック部材が配設され、
前記延出部の外面側は、前記フック部材と係合可能に形成され、
前記内側パネルシートおよび前記外側パネルシートは、前記フック部材と係合可能に形成され、
前記テープ状ファスナの基端部の内面側および外面側は、少なくとも一部が内側パネルシートおよび外側パネルシートの少なくともいずれかに取り付けられ、
前記基端部の長手方向の長さは、前記延出部の長手方向の長さより長い
ことを特徴とした使い捨て吸収性物品。
【請求項２】
背面パネル部の内側パネルシートおよび外側パネルシートは、通気性を有し、
テープ状ファスナの密度は、前記内側パネルシートおよび前記外側パネルシートの密度より大きい
ことを特徴とした請求項１記載の使い捨て吸収性物品。
【請求項３】
内側パネルシートは、表面シートが吸収性物品本体の幅方向の外側縁から外方に延出した部分で形成され、
裏面シートの少なくとも幅方向の外側縁の外面側には、不織布にて形成された裏面不織布シートが積層され、
外側パネルシートは、前記裏面不織布シートが前記吸収性物品本体の幅方向の外側縁から外方に延出した部分で形成されている
ことを特徴とした請求項１または２記載の使い捨て吸収性物品。
【請求項４】
テープ状ファスナの基端部は、この基端部の長手方向の一端縁が吸収体の幅方向の外側縁と吸収性物品本体の幅方向の外側縁との間に位置している
ことを特徴とする請求項１ないし３いずれか記載の使い捨て吸収性物品。
【請求項５】
背側腰回り部は、吸収体の長手方向の一端縁にて形成され幅方向に沿った吸収体背側端部と、前記吸収体背側端部の長手方向の一端側に形成され幅方向に沿った背側フラップ部とを有し、
テープ状ファスナの延出部は、長手方向に沿って前記吸収体背側端部の延長線上に位置し、
前記テープ状ファスナの基端部は、幅方向に沿って背側パネル部から吸収性物品本体に亘って延長して設けられ、この基端部の幅方向の一側が幅方向に沿って前記吸収体上に位置しつつ前記基端部の幅方向の他側が幅方向に沿って前記背側フラップ部に位置して前記吸収体背側端部を覆うように配設され、少なくとも疎水性および撥水性のいずれかを有する
ことを特徴とした請求項１ないし３いずれか記載の使い捨て吸収性物品。
【請求項６】
テープ状ファスナの延出部の長手方向の先端部には、摘み部が設けられ、
この摘み部は、フック部材から長手方向に沿って外側に延出している延出端部と、この延出端部の先端縁から前記フック部材が位置する側の反対側に向けて前記延出端部に対向するように延出した延出摘み部とを有し、
前記フック部材および前記延出摘み部それぞれの長手方向の長さは、前記延出端部の長手方向の長さより長い
ことを特徴とする請求項１ないし５いずれか記載の使い捨て吸収性物品。
【発明の詳細な説明】
【技術分野】
【０００１】
本発明は、子供用、大人用あるいは失禁用の使い捨て吸収性物品に関する。
【背景技術】
【０００２】
従来、この種の使い捨て吸収性物品としての使い捨ておむつとしては、背側腰回り部、股下回り部および腹側腰回り部を順次連続して形成した吸収性物品本体としてのおむつ本体において、このおむつ本体の腹側腰回り部の裏面側の不透液性裏面シートにループファスナが設けられ、このおむつ本体の背側腰回り部の両側端部にサイドフラップが設けられており、これらサイドフラップには、これらサイドフラップの幅方向の両側端部から延出する延出部を有するファスナテープが取り付けられ、このファスナテープの背側腰回り部からの延出部の表面側にループファスナに係脱自在に係合するフックファスナが設けられている。
【０００３】
さらに、この種の使い捨ておむつは、おむつ本体の後身頃の両側のそれぞれにファスナテープが並列に設けられ、これらファスナテープのうちの一方のファスナテープをおむつ本体に固定した上で、この一方のファスナテープ上に他方のファスナテープを係合させて固定できるようにするために、これらファスナテープそれぞれの締結手段が形成されている表面側とは反対の裏面側に締結手段が着脱可能なターゲットゾーンを形成している（例えば、特許文献１参照。）。
【特許文献１】特開２００４−２０１８９４号公報
【発明の開示】
【発明が解決しようとする課題】
【０００４】
しかしながら、上記使い捨ておむつでは、ファスナテープとサイドフラップの側縁部との係合面積が小さいと、これらファスナテープとサイドフラップとの係合強度が弱く、これらファスナテープがサイドフラップから外れてしまうおそれがあるとともに、様々な体型の装着者に対応できないという問題を有している。
【０００５】
本発明は上記問題点に鑑みなされたもので、装着時のテープ状ファスナの係合位置が限定されず、様々な体型の装着者にも対応できる使い捨て吸収性物品を提供する。
【課題を解決するための手段】
【０００６】
請求項１記載の発明の使い捨て吸収性物品は、内面側に位置する表面シートと、外面側に位置する裏面シートと、これら表面シートおよび裏面シートの間に配設された吸収体とを有し、長手方向に沿って背側腰回り部、股下回り部および腹側腰回り部が順次一体的に形成された吸収性物品本体を備え、前記背側腰回り部の両端部には、内面側に位置する内側パネルシートと、外面側に位置する外側パネルシートとを有する背側パネル部が形成され、この背側パネル部には、一端側に位置し前記背側パネル部に接合される基端部と、他端側に位置し前記背側パネル部の幅方向の外側縁から外方に延出した延出部とを有するテープ状ファスナが配設され、このテープ状ファスナと前記腹側腰回り部との係合によって着脱可能に構成される使い捨て吸収性物品であって、前記テープ状ファスナの延出部の内面側には、フック部材が配設され、前記延出部の外面側は、前記フック部材と係合可能に形成され、前記内側パネルシートおよび前記外側パネルシートは、前記フック部材と係合可能に形成され、前記テープ状ファスナの基端部の内面側および外面側は、少なくとも一部が内側パネルシートおよび外側パネルシートの少なくともいずれかに取り付けられ、前記基端部の長手方向の長さは、前記延出部の長手方向の長さより長いものである。
【０００７】
請求項２記載の発明の使い捨て吸収性物品は、請求項１記載の使い捨て吸収性物品において、背面パネル部の内側パネルシートおよび外側パネルシートは、通気性を有し、テープ状ファスナの密度は、前記内側パネルシートおよび前記外側パネルシートの密度より大きいものである。
【０００８】
請求項３記載の発明の使い捨て吸収性物品は、請求項１または２記載の使い捨て吸収性物品において、内側パネルシートは、表面シートが吸収性物品本体の幅方向の外側縁から外方に延出した部分で形成され、裏面シートの少なくとも幅方向の外側縁の外面側には、不織布にて形成された裏面不織布シートが積層され、外側パネルシートは、前記裏面不織布シートが前記吸収性物品本体の幅方向の外側縁から外方に延出した部分で形成されているものである。
【０００９】
請求項４記載の発明の使い捨て吸収性物品は、請求項１ないし３いずれか記載の使い捨て吸収性物品において、テープ状ファスナの基端部は、この基端部の長手方向の一端縁が吸収体の幅方向の外側縁と吸収性物品本体の幅方向の外側縁との間に位置しているものである。
【００１０】
請求項５記載の発明の使い捨て吸収性物品は、請求項１ないし３いずれか記載の使い捨て吸収性物品において、背側腰回り部は、吸収体の長手方向の一端縁にて形成され幅方向に沿った吸収体背側端部と、前記吸収体背側端部の長手方向の一端側に形成され幅方向に沿った背側フラップ部とを有し、テープ状ファスナの延出部は、長手方向に沿って前記吸収体背側端部の延長線上に位置し、前記テープ状ファスナの基端部は、幅方向に沿って背側パネル部から吸収性物品本体に亘って延長して設けられ、この基端部の幅方向の一側が幅方向に沿って前記吸収体上に位置しつつ前記基端部の幅方向の他側が幅方向に沿って前記背側フラップ部に位置して前記吸収体背側端部を覆うように配設され、少なくとも疎水性および撥水性のいずれかを有するものである。
【００１１】
請求項６記載の発明の使い捨て吸収性物品は、請求項１ないし５いずれか記載の使い捨て吸収性物品において、テープ状ファスナの延出部の長手方向の先端部には、摘み部が設けられ、この摘み部は、フック部材から長手方向に沿って外側に延出している延出端部と、この延出端部の先端縁から前記フック部材が位置する側の反対側に向けて前記延出端部に対向するように延出した延出摘み部とを有し、前記フック部材および前記延出摘み部それぞれの長手方向の長さは、前記延出端部の長手方向の長さより長いものである。
【発明の効果】
【００１２】
請求項１記載の使い捨て吸収性物品によれば、装着時に、背側パネル部の外側パネルシートや、この背側パネル部に配設されたテープ状ファスナの延出部の外面側に、このテープ状ファスナの延出部の内面側に配設されたフック部材を係合できるため、装着時のテープ状ファスナの係合位置が限定されず、種々のサイズや様々な体型の装着者に対応できる。また、このテープ状ファスナのフック部材を、背側パネル部の内側パネルシートにも係合できるので、非装着時に延出部を折り畳んで内側パネルシートに係合させて仮り止めできる。さらに、テープ状ファスナの延出部の長手方向の長さより長手方向の長さが長い基端部を背側パネル部に接合させたため、これらテープ状ファスナを背側パネル部に確実に固定できるから、これらテープ状ファスナの背側パネル部からの抜けを防止できる。
【００１３】
請求項２記載の使い捨て吸収性物品によれば、背側パネル部が通気性を有するとともに、テープ状ファスナの基端部で背側パネル部の引張強度を補強できるから、内側パネルシートおよび外側パネルシートの密度を小さくして通気性を向上できる。
【００１４】
請求項３記載の使い捨て吸収性物品によれば、表面シートにて内側パネルシートが形成され、裏面不織布シートにて外側パネルシートが形成されるので、これら内側パネルシートおよび外側パネルシートにて構成された背側パネル部が吸収性物品本体と一体的になるから、この背側パネル部を吸収性物品本体に接合などする必要をなくすことができる。
【００１５】
請求項４記載の使い捨て吸収性物品によれば、テープ状ファスナの基端部の長手方向の長さを背側パネル部の幅方向の長さよりも長くできるから、このテープ状ファスナを抜け難くできるとともに、背側パネル部の強度を幅方向に亘って補強できるから、背側パネル部の破損を防止できる。
【００１６】
請求項５記載の使い捨て吸収性物品によれば、装着時にテープ状ファスナの基端部によって吸収体背側端部をより身体に密着できるとともに、この基端部が疎水性および撥水性のいずれかを有することから吸収体背側端部からの漏れを防止できる。
【００１７】
請求項６記載の使い捨て吸収性物品によれば、フック部材および延出摘み部それぞれの長手方向の長さを延出端部の長手方向の長さより長くしたことにより、テープ状ファスナが延出摘み部によって摘みやすい。また、装着時に延出端部がフック部材側に折り返ってしまい、延出端部とフック部材とが係合しても、フック部材の全体が延出端部によって覆われることがないので、装着時にフック部材が使用できなくなることが少ない。さらに、延出摘み部がフック部材の長手方向の外側に延出するので、延出摘み部を摘み部として使用できる。
【発明を実施するための最良の形態】
【００１８】
次に、本発明の使い捨て吸収性物品の第１の実施の形態の構成を、図１ないし図４を参照して説明する。
【００１９】
図１において、１は使い捨て吸収性物品としての使い捨ておむつで、この使い捨ておむつ１は、子供用、大人用あるいは失禁用であって、吸収性物品本体としてのおむつ本体２を備えている。このおむつ本体２は、装着時に内面側となる表面側に配設した表面シート３と、装着時に外面側となる裏面側に配設した裏面シート４と、これら表面シート３と裏面シート４との間に配設した液吸収性を有する吸収体５とを有している。
【００２０】
さらに、このおむつ本体２は、表面シート３と裏面シート４との周縁を接合して吸収体５を封止し、このおむつ本体２の縦方向である長手方向Ａに沿って背側腰回り部６と、脚回り部としての股下回り部７と、腹側腰回り部８とを順次一体的に連側して形成されている。
【００２１】
また、おむつ本体２の横方向である幅方向Ｂの両側縁には、長手方向Ａの中間部が幅狭状となるように内方に向けて略凹弧状に切り欠かれた凹弧状縁11が形成されている。そして、このおむつ本体２は、展開状態では略細長状で、長手方向Ａの中央部を中心として略対称な形状に形成されているとともに、幅方向Ｂの中央部を中心として左右対称の形状に形成されている。
【００２２】
次いで、表面シート３は、綿布、不織布、多孔性フィルム、合成繊維などの透液性シートで形成されている。さらに、この表面シート３の幅方向Ｂの両側部の表面側には、不透液性または疎水性を有するギャザーシートとしての疎水性シート９が長手方向に沿って配設されて取り付けられ、これら疎水性シート９の相対する内側縁部に立体ギャザーを形成する紐状の図示しない弾性体が長手方向に沿って取り付けられている。すなわち、これら疎水性シート９および図示しない弾性体によって、吸収体５の周縁部に長手方向Ａおよび幅方向Ｂに突出するフラップが形成される。
【００２３】
また、この疎水性シート９と裏面シート４との間にレッグギャザー9aが取り付けられている。そして、このレッグギャザー9aには、このレッグギャザー9aを起立させる紐状の弾性体10が長手方向に沿って取り付けられている。
【００２４】
ここで、この疎水性シート９は、表面シート３を幅方向Ｂに延出させて、この表面シート３と一体的に形成することもできる。
【００２５】
さらに、裏面シート４は、不透液性、すなわち液不透過性または疎水性の不織布、あるいはポリエチレン樹脂などの合成樹脂シートや、液不透過性または疎水性の不織布と合成樹脂シートとを組み合わせたシートなどで形成され、この裏面シート４の周縁部が表面シート３または疎水性シート９の周縁部に接着されている。
【００２６】
また、吸収体５は、尿などの排泄生理液を吸収できる例えばパルプを主材料として一部に高分子吸収体等の物質を含んだ材料にて略細長矩形状に成形され、長手方向Ａの両側縁の中間部が幅狭状となるように内方に向けて略凹弧状に切り欠かれた凹弧状縁12が形成されている。
【００２７】
さらに、おむつ本体２の背側腰回り部６の幅方向Ｂの両端部には、内面側に位置する内側パネルシート13と、外面側に位置する外側パネルシート14とを積層させて形成された背側パネル部15がそれぞれ設けられている。そして、これら内側パネルシート13および外側パネルシート14は、綿布、不織布、多孔性フィルム、合成繊維などの通気性および疎水性を有するシート状の素材で形成されており、これら内側パネルシート13および外側パネルシート14の幅方向Ｂの一側縁である内側縁が、背側腰回り部６および腹側腰回り部８において、疎水性シート９と裏面シート４との間に介在された状態で接合されて固定されている。
【００２８】
具体的に、これら内側パネルシート13と外側パネルシート14とは、背側パネル部15が通気性を有するようにするために、これら内側パネルシート13と外側パネルシート14との間に接合されない部分が部分的に形成されるように、例えばホットメルト接着剤などによる熱接着にて略全域が接合されている。ここで、背側パネル部15は、おむつ本体２の幅方向Ｂの外側縁に内側パネルシート13および外側パネルシート14の幅方向Ｂの内側縁を接合させて構成されているが、おむつ本体２の疎水性シート９および裏面シート４自体を幅方向Ｂにそれぞれ延出させて、このおむつ本体２と一体的に連続したシートで形成してもよい。さらに、背側パネル部15は、疎水性あるいは撥水性を有することが好ましい。
【００２９】
また、これら背側パネル部15には、例えば二つのテープ状ファスナとしてのテープファスナ16,16がそれぞれ間隔を置いて並列に配設されて取り付けられている。これらテープファスナ16,16は、おむつ本体２の幅方向Ｂに沿った長手方向を有する細長テープ状に形成されている。ここで、これらテープファスナ16,16の配設数は、各背側パネル部15に二つずつに限らず、少なくとも一つ以上であればよい。
【００３０】
そして、これらテープファスナ16,16は、これらテープファスナ16,16の繊維密度、すなわち目付［ｇ／ｍ２］が、内側パネルシート13および外側パネルシート14それぞれの目付より大きい。さらに、これらテープファスナ16,16は、これらテープファスナ16,16の幅方向の長さａと、背側パネル部15の長手方向Ａの長さｂとが、２×ａ＜ｂの関係、より好ましくは、２×ａ＜（ｂ／２）の関係を有するように形成されている。
【００３１】
さらに、これらテープファスナ16,16の表面側にフック部材17が取り付けられ、これらフック部材17は、これらフック部材17をおむつ本体２の腹側腰回り部８の裏面シート４に係合させることによって使い捨ておむつ１が装着者に対して着脱可能となる。すなわち、これらフック部材17は、表面シート３、裏面シート４、疎水性シート９、内側パネルシート13および外側パネルシート14のそれぞれに対して係脱可能に係合できるように形成されている。
【００３２】
言い換えると、これら表面シート３、裏面シート４、疎水性シート９、内側パネルシート13および外側パネルシート14のそれぞれは、フック部材17が係脱可能に係合できるシート状の素材で形成されている。なお、これら表面シート３、裏面シート４、疎水性シート９、内側パネルシート13および外側パネルシート14上のフック部材17を係合させる必要がある部分に、フック部材17とより容易かつ確実に係合可能な図示しないループ部材を配設することもできる。この場合、これら表面シート３、裏面シート４、疎水性シート９、内側パネルシート13および外側パネルシート14自体を、フック部材17が係脱可能に係合できる素材で形成しなくてもよい。
【００３３】
さらに、これらテープファスナ16,16は、例えば織布あるいは不織布などの素材で形成されており、これらテープファスナ16,16自体がフック部材17と係合可能な素材で形成されている。また、これらテープファスナ16,16は、これらテープファスナ16,16の長手方向の一端側である内端側に位置し、背側パネル部15の内側パネルシート13と外側パネルシート14との間に介在されて接合される基端部18と、これらテープファスナ16,16の長手方向の他端側である外端側に位置し、背側パネル部15の幅方向Ｂの外側縁から外方に延出した延出部19とを有している。
【００３４】
そして、これらテープファスナ16,16の基端部18は、内側パネルシート13および外側パネルシート14のそれぞれに対し、例えばホットメルト接着剤を用いた接着や熱融着、超音波接着などの接着方法にて接着されている。ところが、この接着方法としては特に限定されず、これらテープファスナ16,16の基端部18、内側パネルシート13および外側パネルシート14の間の接合強度を確保する点から、これら基端部18の長手方向の略全体が内側パネルシート13および外側パネルシート14のそれぞれに接合されていることが好ましい。
【００３５】
ただし、これらテープファスナ16,16の基端部18の表面側および裏面側それぞれの全面が内側パネルシート13および外側パネルシート14に接合されている場合には、これらテープファスナ16,16の基端部18、内側パネルシート13および外側パネルシート14の間の接合部分が非通気性となったり、背側パネル部15が部分的に硬くなって装着感が悪くなったりするおそれがある。このため、これらテープファスナ16,16の基端部18の長手方向の略全域が、例えばストライプ状やドット状などの長手方向および幅方向の少なくともいずれか一方の方向に間隔を空けて間欠的に内側パネルシート13および外側パネルシート14に対して基端部18を接合することが好ましい。
【００３６】
また、これらテープファスナ16,16は、基端部18の幅方向の長さが延出部19の幅方向の長さより長くなるように形成されている。ここで、これらテープファスナ16,16の基端部18の表面側および裏面側は、これら基端部18の少なくとも一部が内側パネルシート13および外側パネルシート14の少なくともいずれかに取り付けられていれば良い。さらに、これらテープファスナ16,16の基端部18は、背側パネル部15の引張強度を確実に補強できるようにするために、これら基端部18の長手方向の長さが背側パネル部15の幅方向Ｂの長さと略同じ長さに形成されている。言い換えると、これら基端部18は、背側パネル部15とおむつ本体２との境界線の近傍までに亘って設けられていることが好ましい。
【００３７】
また、これらテープファスナ16,16は、これらテープファスナ16,16の長手方向をおむつ本体２の幅方向Ｂに対して平行にした状態で取り付けられており、これらテープファスナ16,16の長手方向の長さが背側パネル部15の幅方向Ｂの長さより短く形成されている。ここで、これらテープファスナ16,16は、これらテープファスナ16,16の長手方向の長さが背側パネル部15の幅方向Ｂの長さより短いことから、これらテープファスナ16,16が非通気性であったとしても、少なくとも背側パネル部15全体が非通気性になることはないが、これら背側パネル部15全体が通気性を有するようにするために、これらテープファスナ16,16も通気性を有することが好ましい。
【００３８】
さらに、これらテープファスナ16,16の延出部19の表面側には、フック部材17が配設されて接合されている。また、これらテープファスナ16,16の延出部19の裏面側は、フック部材17と係合可能な素材で形成されている。ここで、これらフック部材17は、これらフック部材17の長手方向の長さが各テープファスナ16,16の延出部19の長手方向の長さより短く形成されており、これら各テープファスナ16,16の延出部19の長手方向の中間部に取り付けられている。そして、これら延出部19のうちフック部材17が取り付けられている部分より外側に延出している部分が、摘み部21となる。
【００３９】
次に、上記第１実施の形態の使い捨て吸収性物品の作用を説明する。
【００４０】
まず、使い捨ておむつ１を身体に未装着の状態では、図１に示す状態から、図３に示すように、おむつ本体２の表面シート３が内側になるように、このおむつ本体２の長手方向Ａを２つに折り返した状態で、このおむつ本体２の幅方向Ｂの両側縁部に設けた背側パネル部15を内側に折り返して、これら背側パネル部15に取り付けられているテープファスナ16のフック部材17が腹側腰回り部８の裏面シート４に係合させた状態となっている。
【００４１】
このとき、テープファスナ16はおむつ本体２の幅方向Ｂの両側縁部から突出していないので邪魔になることがなく、フック部材17が妄りにおむつ本体２に係合することがない。
【００４２】
この状態で、テープファスナ16の延出部19の先端部に形成されている摘み部21をそれぞれ引っ張り、おむつ本体２の腹側腰回り部８の裏面シート４に係合しているフック部材17を剥離する。
【００４３】
そして、このおむつ本体２を身体に装着するときに、このおむつ本体２の表面シート３の表面側が肌に接触するようにして、このおむつ本体２の股下回り部７を股下に位置させるとともに背側腰回り部６を背中側に位置させ、腹側腰回り部８を腹側に位置させる。
【００４４】
次いで、このおむつ本体２の両側縁部に取り付けられている背側パネル部15のテープファスナ16を、このおむつ本体２の腹側腰回り部８の裏面シート４に係脱可能に係合させて、このおむつ本体２を身体に装着する。
【００４５】
そして、一般的には、背側腰回り部６の両側縁に設けられているテープファスナ16は、それぞれ重ねることなく、腹側腰回り部８の裏面シート４に係合させるが、おむつ本体２を装着する身体の体型に応じて、例えば、図３に示すように、腹側腰回り部８の裏面シート４に係合されているテープファスナ16に、同一側の側縁部に設けられているテープファスナ16を重ね、下側のテープファスナ16のフック部材17を、上側のテープファスナ16の裏面側に係合させて、おむつ本体２を身体に装着することもできる。
【００４６】
また、図４に示すように、一方の背側パネル部15に取り付けた各テープファスナ16を、他方の背側パネル部15に取り付けられているテープファスナ16に重ね、一方側の上側および下側のテープファスナ16の裏面側に、他方側の上側および下側のテープファスナ16のフック部材17をそれぞれ係合させて、おむつ本体２を身体に装着することもできる。
【００４７】
すなわち、装着時に、背側パネル部15の外側パネルシート14や、この背側パネル部15に配設されたテープファスナ16の延出部19の裏面側に、このテープファスナ16に取り付けられたフック部材17を係合できるため、装着時のテープファスナ16の係合位置が限定されず、種々のサイズや様々な体型の装着者に対応できる。
【００４８】
そして、これら各テープファスナ16を裏面シート４や他のテープファスナ16の裏面側から剥離するときには、これら各テープファスナ16の延出部19の先端側の摘み部21を摘んで、これら各テープファスナ16を裏面シート４や他のテープファスナ16の裏面側から剥がすことができるので、これらテープファスナ16の着脱操作が容易にできる。
【００４９】
さらに、各背側パネル部15の内側パネルシート13および外側パネルシート14のそれぞれを、各テープファスナ16のフック部材17が係脱可能に係合する素材で形成したため、身体から取り外した使い捨ておむつ１の腹側腰回り部８側からおむつ本体２を丸め込んでいき、この状態で背側腰回り部６の各背側パネル部15を順次内側に折り畳んで、これら背側パネル部15に取り付けられているテープファスナ16のフック部材17を外側パネルシート14に係合させることができるので、使用後の使い捨ておむつをコンパクトに畳んで、その状態を保持させることができる。
【００５０】
また、これらテープファスナ16のフック部材17を、各背側パネル部15の内側パネルシート13にも係合できるので、非装着時に延出部19を折り畳んで、これらテープファスナ16のフック部材17を内側パネルシート13に係合させて仮り止めすることもできる。
【００５１】
さらに、背側パネル部15が通気性を有するとともに、テープファスナ16の基端部18で背側パネル部15の引張強度を補強できるから、内側パネルシート13および外側パネルシート14の目付を小さくして、背側パネル部15の通気性を向上できる。したがって、装着時におむつ本体２内が蒸れることを防止でき、使い捨ておむつ１の装着感を向上できる。
【００５２】
また、各テープファスナ16の基端部18の略全域を、背側パネル部15の内側パネルシート13と外側パネルシート14との間に介在させて、これら内側パネルシート13と外側パネルシート14とで各テープファスナ16の基端部18を挟み込んで接合させたため、これらテープファスナ16が背側パネル部15に確実に固定できるから、これらテープファスナ16が背側パネル部15から抜けてしまうことを防止できる。
【００５３】
また、前記第１の実施の形態では、図２に示すように、テープファスナ16の基端部18を内側パネルシート13と外側パネルシート14とで挟んで背側パネル部15とし、この背側パネル部15の内側パネルシート13および外側パネルシート14の内側縁をおむつ本体２の疎水性シート９と裏面シート４との間に挟み込んで接合した構成としたが、図５に示す第２の実施の形態のように、疎水性シート９をおむつ本体２の幅方向Ｂの外側縁から外方に延出させ、この延出した部分を内側パネルシート13とすることもできる。この場合、裏面シート４の少なくとも幅方向Ｂの外側縁の外面側に、不織布で構成された裏面不織布シート31を積層させ、この裏面不織布シート31をおむつ本体２の幅方向Ｂの外側縁から外方に延出させ、この延出した部分を外側パネルシート14とする。
【００５４】
さらに、内側パネルシート13を構成する疎水性シート９は、表面シート３の幅方向Ｂの両側縁に配設された立体ギャザー用シート用のシートである。また、裏面シート４は、この裏面シート４の積層枚数は特に限定されないが、吸収体５側の内面側に、ポリエチレンなどにて構成されたフィルム状の透湿性かつ不透液性のシートを位置させ、このシートの被服面側である外面側に、裏面不織布シート31を積層させた２枚積層構造とすることが好ましい。
【００５５】
さらに、これら内側パネルシート13および外側パネルシート14を構成する不織布としては、低目付で撥水性を高くできる不織布、例えばＳＭＳ（スパンボンド・メルトブレーン・スパンボンド）の３層構造の不織布が好ましい。さらに、内側パネルシート13としては、１５ｇ／ｍ２以上２０ｇ／ｍ２以下程度の目付が好ましく、外側パネルシート14としては、１３ｇ／ｍ２以上２０ｇ／ｍ２以下程度の目付が好ましい。
【００５６】
また、内側パネルシート13は、この内側パネルシート13を立体ギャザーとして使用した場合に漏れ防止効果が必要とされることから、外側パネルシート14よりも目付を高くすることが好ましい。したがって、テープファスナ16が取り付けられている部分を除いた背側パネル部15の目付は、２８ｇ／ｍ２以上４０ｇ／ｍ２以下となる。
【００５７】
さらに、テープファスナ16は、スパンボンド不織布が好ましく、８０ｇ／ｍ２以上１００ｇ／ｍ２以下の目付が好ましい。このため、各背側パネル部15のうちテープファスナ16、内側パネルシート13および外側パネルシート14が積層されている部分は、１０８ｇ／ｍ２以上１４０ｇ／ｍ２以下の目付となる。
【００５８】
そして、疎水性シート９にて内側パネルシート13を形成し、裏面不織布シート31にて外側パネルシート14を形成したため、これら内側パネルシート13および外側パネルシート14にて構成された背側パネル部15がおむつ本体２と一体的になるから、これら背側パネル部15をおむつ本体２に接合などする必要をなくすことができる。
【００５９】
さらに、前記第２の実施の形態では、図５に示すように、疎水性シート９と裏面不織布シート31との間にテープファスナ16の基端部18を介在させた構成としたが、図６および図７に示す第３の実施の形態のように、これらテープファスナ16の基端部18の長手方向の一端縁である内側縁としての端部を疎水性シート９と裏面シート４との間に介在させることもできる。この場合、図６に示すように、各テープファスナ16の基端部18は、これら基端部18の端部が、平面視で、吸収体５の幅方向Ｂの外側縁とおむつ本体２の幅方向Ｂの外側縁との間に位置するように取り付けられている。
【００６０】
ここで、裏面シート４が裏面不織布シート31との積層構造の場合には、各テープファスナ16の基端部18の端部である内側縁を、積層された裏面シート４と裏面不織布シート31との間でなく、疎水性シート９と裏面シート４との間に位置するように配設させることが好ましい。
【００６１】
そして、各テープファスナ16の基端部18の内側縁を、平面視で吸収体５の幅方向Ｂの外側縁とおむつ本体２の幅方向Ｂの外側縁との間に位置させたため、これらテープファスナ16の基端部18の長手方向の長さを背側パネル部15の幅方向Ｂの長さよりも長くできるから、これらテープファスナ16を背側パネル部15からさらに抜け難くできる。また同時に、これらテープファスナ16の基端部18で背側パネル部15の強度を幅方向に亘って補強できるため、これら背側パネル部15の破損を防止できる。
【００６２】
また、前記第３の実施の形態では、図６に示すように、各テープファスナ16の基端部18の内側縁を、平面視で吸収体５の幅方向Ｂの外側縁とおむつ本体２の幅方向Ｂの外側縁との間に位置させた構成としたが、図８および図９に示す第４の実施の形態のように、両背側パネル部15の上側のテープファスナ16を一体的に連結させた構成とし、このテープファスナ16の延出部19を、背側腰回り部６の吸収体５の長手方向Ａの一端縁で形成された幅方Ｂ向に沿った吸収体背側端部32の延長線Ｃ上に長手方向に沿って位置させることもできる。この場合、背側腰回り部６の吸収体背側端部32の長手方向Ａの一端側には、幅方向Ｂに沿った背側フラップ部33が形成される。
【００６３】
さらに、上側のテープファスナ16の基端部18は、幅方向Ｂに沿って背側パネル部15からおむつ本体２に亘って延長して設けられており、このテープファスナ16の基端部18の幅方向の一側が幅方向Ｂに沿って吸収体５上に位置しつつ、このテープファスナ16の基端部18の幅方向の他側が幅方向Ｂに沿って背側フラップ部33上に位置している。よって、この上側のテープファスナ16の基端部18は、吸収体背側端部32を覆うように配設されており、少なくとも疎水性および撥水性のいずれかを有している。
【００６４】
言い換えると、上側のテープファスナ16は、一方側のテープファスナ16の基端部18と、他方側のテープファスナ16の基端部18とで、吸収体背側端部32を幅方向Ｂの略全域を覆うように取り付けられている。すなわち、この上側のテープファスナ16は、背側パネル部15の外側縁から突出する一対の延出部19が両端部に設けられ、これら一対の延出部19の間に基端部18が設けられた構成である。このことから、上側のテープファスナ16の基端部18を一体的に連結させた構成とせず、これら上側のテープファスナ16の基端部18同士を重ね合わせる構成として、これら上側の各テープファスナ16の基端部18で、吸収体背側端部32の幅方向の略全域を覆うこともできる。
【００６５】
そして、図８に示すように、上側の一対のテープファスナ16の基端部18で吸収体背側端部32の幅方向Ｂの略全域を覆う構成としたことから、このテープファスナ16の基端部18によって装着時に吸収体背側端部32をより身体に密着できる。さらに、テープファスナ16の基端部18が疎水性および撥水性のいずれかを有するので、この基端部18で排泄生理液の漏れを防止できるから、吸収体背側端部32からの排泄生理液の漏れを防止できる。
【００６６】
また、図１０に示す第５の実施の形態のように、これら上側のテープファスナ16の基端部18を一体的に連結して形成せず、これらテープファスナ16の基端部18の端部同士を所定の間隔ほど対向させた状態で取り付けて、これら基端部18にて吸収体背側端部32の幅方向Ｂの略全域を覆う構成とすることもできる。さらに、上記第４および第５の実施の形態で、上側のテープファスナ16よりも股下回り部７側に位置している下側のテープファスナ16は、これらテープファスナ16の基端部18にて表面シート３を介した排泄生理液の吸収を妨げないようにするため、図８および図１０に示すように、これらテープファスナ16の基端部18にて吸収体５が覆われないように配設されていることが好ましい。
【００６７】
そして、図１１および図１２に示す第６の実施の形態のように、各テープファスナ16の延出部19の長手方向の先端部に摘み部21を設け、これら摘み部21を、フック部材17から長手方向に沿って外側に延出している延出端部41と、この延出端部41の先端縁からフック部材17が位置する側の反対側に向けて延出しこの延出端部41の裏面側に対向するように折り返された延出摘み部42とで構成することもできる。そして、これら各テープファスナ16の延出部19および延出端部41は、これら延出部19および延出端部41が折り返されても復元できるように柔軟性を有する素材で形成されていることが好ましい。
【００６８】
さらに、フック部材17および延出摘み部42は、これらフック部材17および延出摘み部42の長手方向の長さが、延出端部41の長手方向の長さより長く形成されている。また、これら延出摘み部42は、延出端部41の長手方向の先端縁に延出摘み部42を接合することによって形成されている。なお、これら延出摘み部42としては、延出端部41の長手方向の先端縁を延出させて、この延出させた先端縁を折り返し、この折り返した部分を延出摘み部42とすることもできる。さらに、これら延出摘み部42を折り返して形成した場合であっても、これら延出摘み部42の折り返された状態を維持する目的で、これら延出摘み部42と延出端部41との間の折り返し部分の近傍の一部を接合させることが好ましい。
【００６９】
そして、フック部材17および延出摘み部42それぞれの長手方向の長さを延出端部41の長手方向の長さより長くしたため、テープファスナ16が延出摘み部42によって摘みやすくできる。また、図１２に示すように、装着時に延出端部41がフック部材17側に折り返ってしまい、延出端部41とフック部材17とが係合した場合であっても、フック部材17の全体が延出端部41によって完全に覆われることがないので、装着時にフック部材17が使用できなくなることが少ない。さらに、延出摘み部42がフック部材17の長手方向の外側に延出することから、これら延出摘み部42を摘み部21として使用できる。
【図面の簡単な説明】
【００７０】
【図１】本発明の第１の実施の形態を示す使い捨て吸収性物品の平面図である。
【図２】図１のＩ−Ｉ線部のテープファスナの縦断面説明図である。
【図３】図１に示す本発明の使い捨て吸収性物品の一使用態様の斜視図である。
【図４】図１に示す本発明の使い捨て吸収性物品の他の使用態様の斜視図である。
【図５】本発明の第２の実施の形態を示す使い捨て吸収性物品のテープファスナの縦断面説明図である。
【図６】本発明の第３の実施の形態を示す使い捨て吸収性物品の一部の平面図である。
【図７】図６のII−II線部のテープファスナの縦断面説明図である。
【図８】本発明の第４の実施の形態を示す使い捨て吸収性物品の一部の平面図である。
【図９】図８のIII−III線部のテープファスナの縦断面説明図である。
【図１０】本発明の第５の実施の形態を示す使い捨て吸収性物品の一部の平面図である。
【図１１】本発明の第６の実施の形態を示す使い捨て吸収性物品のテープファスナの縦断面説明図である。
【図１２】図１１に示す本発明の使い捨て吸収性物品のテープファスナの一使用態様の縦断面説明図である。
【符号の説明】
【００７１】
１    使い捨て吸収性物品としての使い捨ておむつ
２    吸収性物品本体としてのおむつ本体
３    表面シート
４    裏面シート
５    吸収体
６    背側腰回り部
７    股下回り部
８    腹側腰回り部
13    内側パネルシート
14    外側パネルシート
15    背側パネル部
16    テープ状ファスナとしてのテープファスナ
17    フック部材
18    基端部
19    延出部
21    摘み部
31    裏面不織布シート
32    吸収体背側端部
33    背側フラップ部
41    延出端部
42    延出摘み部
Ｃ    延長線
【図１】
2008093224.tif 000003
【図２】
2008093224.tif 000004
【図３】
2008093224.tif 000005
【図４】
2008093224.tif 000006
【図５】
2008093224.tif 000007
【図６】
2008093224.tif 000008
【図７】
2008093224.tif 000009
【図８】
2008093224.tif 000010
【図９】
2008093224.tif 000011
【図１０】
2008093224.tif 000012
【図１１】
2008093224.tif 000013
【図１２】
2008093224.tif 000014